(57)【要約】【課題】安価な方法にて、各使用者が実際に使用した温水の量を正確に求めることで、使用者間における公平性を保つ。【解決手段】ベース流量センサＳＮ１０１は、分岐される前の第１経路Ｌ２１にて温水の流量を計測する。複数の個別流量センサＳＮ１０２ａ〜ＳＮ１０２ｃは、分岐後の複数の第２経路Ｌ２２ａ〜Ｌ２２ｃそれぞれにおいて温水の流量を計測する。相関関係算出部１４１ａは、給湯システム２００の試運転時におけるベース流量センサＳＮ１０１の計測結果及び個別流量センサＳＮ１０２ａ〜ＳＮ１０２ｃの計測結果に基づいて、これらの計測結果の相関関係を各個別流量センサＳＮ１０２ａ〜ＳＮ１０２ｃ毎に算出する。計測結果補正部１４１ｂは、給湯システム２００の通常運転時における各個別流量センサＳＮ１０２ａ〜ＳＮ１０２ｃの計測結果を、各個別流量センサＳＮ１０２ａ〜ＳＮ１０２ｃ毎に算出された相関関係に基づき補正する。【選択図】図１
2012202664.tif 000002
【特許請求の範囲】
【請求項１】
温水を貯留する貯湯タンク（３０）と、前記貯湯タンク内の温水を途中で分岐させて複数の住宅（ｃｏ１〜ｃｏ３）それぞれに設置された給湯端末（９１ａ〜９１ｃ，９２ａ〜９２ｃ）に送る給湯経路（Ｌ２０）とを有する給湯装置（２００）において、各前記住宅にて使用された温水の量を演算する使用湯量演算装置（１００）であって、
前記給湯経路のうち、分岐される前の温水が流れる第１経路（Ｌ２１）に設けられており、前記第１経路を流れる温水の流量を計測する第１流量計測部（ＳＮ１０１）と、
前記給湯経路のうち、分岐され各前記給湯端末に送られる温水が流れる複数の第２経路（Ｌ２２ａ〜Ｌ２２ｃ）それぞれに設けられており、各前記第２経路を流れる温水の流量を計測する複数の第２流量計測部（ＳＮ１０２ａ〜ＳＮ１０２ｃ）と、
前記給湯装置の試運転時における前記第１流量計測部の第１計測結果及び前記第２流量計測部の第２計測結果に基づいて、前記第１計測結果と前記第２計測結果との相関関係を各前記第２流量計測部毎に算出する相関関係算出部（１４１ａ）と、
前記給湯装置の通常運転時における各前記第２流量計測部の前記第２計測結果を、各前記第２流量計測部毎に算出された前記相関関係に基づき補正する計測結果補正部（１４１ｂ）と、
を備える、使用湯量演算装置（１００）。
【請求項２】
前記相関関係算出部（１４１ａ）は、前記第１計測結果を基準として各前記第２計測結果を補正するための演算式を、前記相関関係として、前記第２流量計測部毎に求める、
請求項１に記載の使用湯量演算装置（１００）。
【請求項３】
各前記第２経路における温水の流れを遮断可能な流量遮断部（１１１ａ〜１１１ｃ）、
を更に備え、
前記相関関係の算出においては、
複数の前記第２経路のうち、前記相関関係の算出対象となる前記第２流量計測部が設けられた前記第２経路を除く他の前記第２経路において、温水の流れが前記流量遮断部によって遮断された状態での、前記第１計測結果及び前記第２計測結果が用いられ、
前記相関関係の算出対象となる前記第２流量計測部が異なる毎に、前記流量遮断部によって温水の流れが遮断される前記第２経路が異なる、
請求項１または２に記載の使用湯量演算装置（１００）。
【請求項４】
前記相関関係算出部（１４１ａ）は、更に、前記第２経路に流れる温水の流量レベル毎に前記相関関係を算出する、
請求項１から３のいずれか１項に記載の使用湯量演算装置（１００）。
【請求項５】
前記相関関係算出部（１４１ａ）は、前記給湯装置の通常運転時における前記第１計測結果及び前記第２計測結果に基づいて、前記相関関係を各前記第２流量計測部毎に更に算出する、
請求項１から４のいずれか１項に記載の使用湯量演算装置（１００）。
【発明の詳細な説明】
【技術分野】
【０００１】
本発明は、使用湯量演算装置に関する。特に、本発明は、温水を貯留する貯湯タンクと、貯湯タンク内の温水を途中で分岐させて複数の住宅それぞれに設置された給湯端末に送る給湯経路とを有する給湯装置において、各住宅にて使用された温水の量を演算する使用湯量演算装置に関する。
【背景技術】
【０００２】
複数の住宅で構成されるマンション等の建物においては、例えば特許文献１（特開２００４−３４０４５７号公報）に開示されているように、個々の住宅に温水を供給する給湯装置が備えられている。特に、単身者用マンションの場合、当該マンションには複数の住宅があり、各住宅には水栓や浴槽等の給湯端末が設置されることとなる。この場合、各住宅にて使用される温水は比較的少量と考えられるため、１台の貯湯タンクからの温水が各住宅に分配して使用される構成が採用される。
【発明の概要】
【発明が解決しようとする課題】
【０００３】
一般的に、温水の使用者に対しては、各使用者が個々の住宅において使用した温水の量に相当する使用料金の請求が行われる。そのため、給湯タンクの温水吐出管から分岐して各住宅の給湯端末に接続された複数の分岐管それぞれには、各住宅において使用された温水の量を計測する流量計が設けられている。しかしながら、この流量計には個体差があり、計測結果にはバラツキがある。そのため、バラツキを含めた計測結果（つまり、使用された温水の量）に対する使用料金が各使用者に請求されることとなり、必ずしも公平性が担保できていない現状がある。
【０００４】
そこで、本発明の課題は、安価な方法にて、各使用者が実際に使用した温水の量を正確に求めることで、使用者間における公平性を保つことにある。
【課題を解決するための手段】
【０００５】
本発明の第１観点に係る使用湯量演算装置は、貯湯タンクと給湯経路とを有する給湯装置において、各住宅にて使用された温水の量を演算する装置である。貯湯タンクは、温水を貯留する。給湯経路は、貯湯タンク内の温水を途中で分岐させて複数の住宅それぞれに設置された給湯端末に送る。この使用湯量演算装置は、第１流量計測部と、複数の第２流量計測部と、相関関係算出部と、計測結果補正部とを備える。第１流量計測部は、給湯経路のうち、分岐される前の温水が流れる第１経路に設けられており、第１経路を流れる温水の流量を計測する。複数の第２流量計測部は、給湯経路のうち、分岐され各給湯端末に送られる温水が流れる複数の第２経路それぞれに設けられており、各第２経路を流れる温水の流量を計測する。相関関係算出部は、給湯装置の試運転時における第１流量計測部の第１計測結果及び第２流量計測部の第２計測結果に基づいて、第１計測結果と第２計測結果との相関関係を各第２流量計測部毎に算出する。計測結果補正部は、給湯装置の通常運転時における各第２流量計測部の第２計測結果を、各第２流量計測部毎に算出された相関関係に基づき補正する。
【０００６】
この使用湯量演算装置では、給湯装置の通常運転時の各第２流量計測部の結果は、試運転時に求められた、ベースの流量計である第１流量計測部の計測結果との相関関係によって補正される。そのため、各第２経路に設けられた個別の流量計である第２流量計測部の各第２計測結果、即ち各住宅毎の使用された温水の量は、正確な値となって求められることとなる。従って、安価な方法にて、各住宅において実際に使用された温水の量を正確に求めることができ、これによって各住宅の使用者間における公平性を保つことができる。
【０００７】
本発明の第２観点に係る使用湯量演算装置は、第１観点に係る使用湯量演算装置において、相関関係算出部は、第１計測結果を基準として各第２計測結果を補正するための演算式を、相関関係として、第２流量計測部毎に求める。
【０００８】
この使用湯量演算装置によると、個別の流量計である第２流量計測部の各第２計測結果、即ち各第２経路上における温水の流量は、上記演算式によって、当該流量をベースとなる第１流量計測部が計測したと仮定した場合の値に換算されるようになる。そのため、各住宅の給湯端末にて使用された温水の量それぞれが異なる第２流量計測部によって計測されたとしても、個々の演算式によって換算されるために、各第２流量計測部の個体差を含まない値となる。従って、換算後の第２計測結果同士を比較することができ、また各住宅の使用者への温水の使用料金を請求する際にも公平性を保つことができる。
【０００９】
本発明の第３観点に係る使用湯量演算装置は、第１観点または第２観点に係る使用湯量演算装置において、流量遮断部を更に備える。流量遮断部は、各第２経路における温水の流れを遮断可能である。そして、相関関係の算出においては、複数の第２経路のうち、相関関係の算出対象となる第２流量計測部が設けられた第２経路を除く他の第２経路において、温水の流れが流量遮断部によって遮断された状態での、第１計測結果及び第２計測結果が用いられる。更に、相関関係の算出においては、相関関係の算出対象となる第２流量計測部が異なる毎に、流量遮断部によって温水の流れが遮断される第２経路が異なる。
【００１０】
この使用湯量演算装置によると、相関関係の算出の際、第１計測結果との相関関係を求める対象となる第２流量計測部が設けられた第２経路のみ、温水の流れが許容され、他の第２経路は温水の流れが遮断されるようになる。これにより、第１経路上を流れる温水の量は、相関関係を求める対象となる第２流量計測部が設けられた第２経路上を流れる温水の量と等しくなる。従って、相関関係を精度良く求めることができる。
【００１１】
本発明の第４観点に係る使用湯量演算装置は、第１観点から第３観点のうちいずれか１つに係る使用湯量演算装置において、相関関係算出部は、更に、第２経路に流れる温水の流量レベル毎に相関関係を算出する。
【００１２】
例えば流量レベルが“大”“中”“小”のように複数存在する場合、第１計測結果と各第２計測結果との相関関係は、流量レベル毎に異なっていることも考えられなくはない。しかし、この使用湯量演算装置によると、更に流量レベル毎に相関関係が算出されるため、より正確な相関関係が求められるようになる。
【００１３】
本発明の第５観点に係る使用湯量演算装置は、第１観点から第４観点のうちいずれか１つに係る使用湯量演算装置において、相関関係算出部は、給湯装置の通常運転時における第１計測結果及び第２計測結果に基づいて、相関関係を各第２流量計測部毎に更に算出する。
【００１４】
この使用湯量演算装置によると、給湯装置の試運転時のみならず、通常運転時においても相関関係が算出される。そのため、例えば試運転時に算出した相関関係と通常運転時に算出した相関関係とを比較することで、第１流量計測部や第２流量計測部において不具合が生じた場合には、これを把握することが可能となる。更に、相関関係が正しいかを、適宜確認することができるようになる。
【発明の効果】
【００１５】
本発明の第１観点に係る使用湯量演算装置によると、安価な方法にて、各住宅において実際に使用された温水の量を正確に求めることができ、これによって各住宅の使用者間における公平性を保つことができる。
【００１６】
本発明の第２観点に係る使用湯量演算装置によると、換算後の第２計測結果同士を比較することができ、また各住宅の使用者への温水の使用料金を請求する際にも公平性を保つことができる。
【００１７】
本発明の第３観点に係る使用湯量演算装置によると、相関関係を精度良く求めることができる。
【００１８】
本発明の第４観点に係る使用湯量演算装置によると、より正確な相関関係が求められるようになる。
【００１９】
本発明の第５観点に係る使用湯量演算装置によると、第１流量計測部や第２流量計測部において不具合が生じた場合には、これを把握することが可能となる。更に、相関関係が正しいかを、適宜確認することができるようになる。
【図面の簡単な説明】
【００２０】
【図１】本実施形態に係る使用湯量演算装置が採用された給湯システムの全体構成図。
【図２】図１の給湯システムの構成を詳細に示した図。
【図３】図１の熱源ユニットの構成を簡単に示した図。
【図４】本実施形態に係る使用湯量演算装置の構成を模式的に示す図。
【図５】実際の第１経路上の流量（流量レベル）に対する、各個別流量センサの計測結果及びベース流量センサの計測結果の関係の一例を示す図。
【図６】本実施形態に係る使用湯量演算装置が搭載された給湯システムの全体的な動作を示すフロー図。
【図７】本実施形態に係る使用湯量演算装置が搭載された給湯システムの全体的な動作を示すフロー図。
【発明を実施するための形態】
【００２１】
以下、本発明に係る使用湯量演算装置について、図面を参照しつつ詳述する。なお、以下の実施形態は、本発明の具体例であって、本発明の技術的範囲を限定するものではない。
【００２２】
（１）概要
図１は、本発明の一実施形態に係る使用湯量演算装置１００が搭載された給湯システム２００（給湯装置に相当）の全体構成図である。図２は、給湯システム２００の詳細な構成を示す図である。図１，２の給湯システム２００は、いわゆるヒートポンプ式の貯湯給湯システムであって、熱源ユニット１０により沸き上げられた温度の高い温水を一旦貯湯タンク３０に貯留し、該タンク３０内に貯留された温水を各住宅ｃｏ１〜ｃｏ３に設置された水栓９１ａ，９１ｂ，９１ｃや浴槽９２ａ，９２ｂ，９２ｃ等の給湯端末を介して使用者に供給するシステムである。本実施形態においては、各住宅ｃｏ１〜ｃｏ３にて使用された温水の量を正確に求めるべく、使用湯量演算装置１００が給湯システム２００内に搭載されている。
【００２３】
特に、本実施形態に係る給湯システム２００は、例えば単身者用マンションのように、比較的少人数が住居する複数の住宅ｃｏ１〜ｃｏ３からなるマンションに設置されている場合を例に取る。各住宅ｃｏ１〜ｃｏ３には、台所や浴室などの様々な箇所に給湯端末（具体的には、水栓９１ａ〜９１ｃや浴槽９２ａ〜９２ｃ）が設置されており、各住宅ｃｏ１〜ｃｏ３の入居者は、該端末の使用により給湯システム２００から出湯される温水を利用することができる。なお、以下では、説明の便宜上、各住宅ｃｏ１〜ｃｏ３の入居者を「使用者」と言う。
【００２４】
本実施形態に係る給湯システム２００は、使用湯量演算装置１００を除き、図１，２に示すように、主として熱源ユニット１０、貯湯タンクユニット２０、給湯経路Ｌ２０及び使用湯量演算装置１００を備える。
【００２５】
なお、給湯経路Ｌ２０は、１つの貯湯タンク３０と各住宅ｃｏ１〜ｃｏ３における水栓９１ａ〜９１ｃや浴槽９２ａ〜９２ｃ等の給湯端末とを繋いでいる。給湯経路Ｌ２０は、貯湯タンク３０内の温水を各住宅ｃｏ１〜ｃｏ３の数だけ途中で分岐させ、当該温水を各給湯端末に送るための経路である（図２参照）。図１に示すように、給湯経路Ｌ２０は、第１経路Ｌ２１と第２経路Ｌ２２ａ，Ｌ２２ｂ，Ｌ２２ｃとを有する。第１経路Ｌ２１は、給湯経路Ｌ２０のうち、分岐される前の貯湯タンク３０内の温水が流れる経路を言う。具体的に、第１経路Ｌ２１は、一端が貯湯タンク３０の上部吐出口３２に接続され、他端が温水の流れ方向において最初に第２経路Ｌ２２ａ〜Ｌ２２ｃに分岐される点に接続されている。つまり、第１経路Ｌ２１は、以下に述べる図２に係る給湯路Ｌ７のうち、上部吐出口３２から住宅ｃｏ１〜ｃｏ３側への最初の分岐点までの間に相当する。第２経路Ｌ２２ａ〜Ｌ２２ｃは、給湯経路Ｌ２０のうち、第１経路Ｌ２１から各住宅ｃｏ１〜ｃｏ２に向けて分岐された経路を言う。具体的に、第２経路Ｌ２２ａ〜Ｌ２２ｃは、一端が第１経路Ｌ２１に接続され、他端が対応する住宅ｃｏ１〜ｃｏ３における給湯端末（水栓９１ａ〜９１ｃや浴槽９２ａ〜９２ｃ等）に接続されている。つまり、第２経路Ｌ２２ａ〜Ｌ２２ｃは、以下に述べる図２において、温水の流れ方向において最初の住宅ｃｏ１〜ｃｏ３側への分岐点から下流側にあたる給湯路Ｌ７の部分、水栓給湯路Ｌ８及び浴槽給湯路Ｌ９に相当する。
【００２６】
以下では、本実施形態に係る熱源ユニット１０、貯湯タンクユニット２０及び使用湯量演算装置１００の各構成について詳細に説明する。
【００２７】
（２）熱源ユニットの構成
熱源ユニット１０は、水を加熱するものである。熱源ユニット１０は、図３に示すように、圧縮機１１、水熱交換器１２，膨張弁１３及び蒸発器１４を有している。圧縮機１１、水熱交換器１２、膨張弁１３及び蒸発器１４は、順次接続されて冷凍サイクルを構成している。圧縮機１１は、冷凍サイクル内を循環する冷媒を圧縮する。水熱交換器１２には、貯湯タンクユニット２０か送られてくる水が通る熱交換水路１５が設けられており、熱交換水路１５中を流れる水と冷媒との間で熱交換を行うことができる。膨張弁１３は、電気的に制御される電動弁であって、冷凍サイクル内を循環する冷媒を減圧する。蒸発器１４は、冷凍サイクル内の冷媒と空気との間で熱交換を行わせ、冷媒を蒸発させるためのものである。
【００２８】
この熱源ユニット１０では、圧縮機１１を駆動して冷媒を循環させることにより、水熱交換器１２を凝縮器として機能させ、熱交換水路１５中を通る水を加熱することができる。
【００２９】
また、図示はしていないが、熱源ユニット１０は、圧縮機１１及び膨張弁１３の制御を行う制御部を有する。制御部は、リモートコントローラ（図示せず）から送られてくる各種制御信号に基づいて、これらの機器の制御を行う。
【００３０】
（３）貯湯タンクユニット
貯湯タンクユニット２０は、図２に示すように、熱源ユニット１０によって加熱された水を蓄えておき、蓄えた水を水栓９１ａ〜９１ｃや浴槽９２ａ〜９２ｃそれぞれに供給する際に用いられる機能部である。貯湯タンクユニット２０は、貯湯タンク３０、水源取水部４０、沸き上げ部５０、給湯部６０及び追い炊き部７０を有している。
【００３１】
なお、主として、貯湯タンク３０、水源取水部４０及び沸き上げ部５０については、各住宅ｃｏ１〜ｃｏ３にて共通して使用される構成のため、該ユニット２０に１つのみ設けられている。その他の構成である給湯部６０及び追い炊き部７０については、各住宅ｃｏ１〜ｃｏ３毎に対応するようにして、該ユニット２０に設けられている。図２では、説明を簡単にするため、各住宅ｃｏ１〜ｃｏ３毎に設けられている給湯部６０及び追い炊き部７０のうち、住宅ｃｏ１用の給湯部６０及び追い炊き部７０を表している。
【００３２】
（３−１）貯湯タンクの構成
貯湯タンク３０は、熱源ユニット１０によって加熱された温水を貯留する。貯湯タンク３０の下部には、第１下部取水口３１が設けられており、貯湯タンク３０の上部には上部吐出口３２が設けられている。第１下部取水口３１は、水道等の水源からの水を貯湯タンク３０に取り入れるための部分である。上部吐出口３２は、貯湯タンク３０に貯留された温水を貯湯タンク３０から吐出して給湯部６０に供給するための部分である。また、貯湯タンク３０の下部には下部吐出口３３が設けられており、貯湯タンク３０の上部には上部取水口３４が設けられている。下部吐出口３３は、貯湯タンク３０内に貯留された温水を貯湯タンク３０から吐出して沸き上げ部５０に供給するための部分である。上部取水口３４は、熱源ユニット１０によって加熱された温水を貯湯タンク３０の上部から貯湯タンク３０内に取り入れるための部分である。更に、貯湯タンク３０の下部には、下部循環入口３５が設けられ、貯湯タンク３０の上部には上部循環出口３６が設けられている。上部循環出口３６は、追い炊き部７０による追い炊き運転時に、貯湯タンク３０から貯湯タンク循環路Ｌ１に吐出される温水が通る出口である。下部循環入口３５は、追い炊き運転時に、貯湯タンク循環路Ｌ１から貯湯タンク３０に戻される温水が通る入口である。
【００３３】
そして、貯湯タンク３０の下部には、排水口３７及び第２下部取水口３８が設けられている。排水口３７は、タンク排水路Ｌ２に接続されており、貯湯タンク３０内から排出される温水が通過する。第２下部取水口３８は、熱源ユニット１０によって加熱された温水を貯湯タンク３０の下部から貯湯タンク３０内に取り入れるための部分である。
【００３４】
また、貯湯タンク３０内には、５つのサーミスタＴｈ１，Ｔｈ２，Ｔｈ３，Ｔｈ４，Ｔｈ５が取り付けられている。これらのサーミスタＴｈ１〜Ｔｈ５は、貯湯タンク３０内に蓄えられた水の温度を検出するためのものであって、高さの異なる複数位置での水の温度を検出することができる。
【００３５】
（３−２）水源取水部
水源取水部４０は、水源からの水を貯湯タンク３０や給湯部６０に供給するための部分であって、水源取水路Ｌ３及び減圧逆止弁４１を有している。水源取水路Ｌ３は、水源に接続される外部取水口４２、貯湯タンク３０の第１下部取水口３１、水栓給湯部６１の第１混合弁６３、及び浴槽給湯部６２の第２混合弁６４を繋いでいる。減圧逆止弁４１は、水源取水路Ｌ３に設けられており、貯湯タンク３０、水栓給湯部６１、浴槽給湯部６２に供給される温水の量を制御可能であると共に、水源への水の逆流を防止する。
【００３６】
（３−３）沸き上げ部
沸き上げ部５０は、貯湯タンク３０に貯留されている温水を熱源ユニット１０に送り、熱源ユニット１０により加熱された温水を貯湯タンク３０に戻す部分であって、第１沸き上げ水路Ｌ４、第２沸き上げ水路Ｌ５、第３沸き上げ水路Ｌ６、沸き上げポンプ５１及び三方切替弁５２を有する。第１沸き上げ水路Ｌ４は、貯湯タンク３０の下部吐出口３３と、熱源ユニット１０における熱交換水路１５の上流側とを繋いでいる。第２沸き上げ水路Ｌ５及び第３沸き上げ水路Ｌ６は、熱交換水路１５の下流側と貯湯タンク３０の上部取水口３４とを繋いでいる。沸き上げポンプ５１は、第１沸き上げ水路Ｌ４に設けられており、貯湯タンク３０から第１沸き上げ水路Ｌ４、熱交換水路１５、第２沸き上げ水路Ｌ５、第３沸き上げ水路Ｌ６を経て貯湯タンク３０に戻る温水の流れを生成する。三方切替弁５２は、第２沸き上げ水路Ｌ５、第３沸き上げ水路Ｌ６及び第２下部取水口３８に接続されている。三方切替弁５２は、電気的に制御される電磁弁であって、第２沸き上げ水路Ｌ５及び第３沸き上げ水路Ｌ６を接続した状態と、第２沸き上げ水路Ｌ５及び第２下部取水口３８を接続した状態とに切り替え可能である。
【００３７】
（３−４）給湯部
給湯部６０は、貯湯タンク３０に貯留された温水を水栓９１ａや浴槽９２ａ等の給湯端末に供給するためのものであって、水栓給湯部６１及び浴槽給湯部６２を有する。
【００３８】
水栓給湯部６１は、貯湯タンク３０に貯留された温水や水源からの水を水栓９１ａ〜９１ｃに供給するためのものであって、第１混合弁６３を有する。第１混合弁６３は、電気的に制御される電磁弁であって、給湯路Ｌ７と水栓給湯路Ｌ８とを接続した状態、または水源取水路Ｌ３と水栓給湯路Ｌ８とを接続した状態に切り換えることができる。また、第１混合弁６３は、給湯路Ｌ７を通過してきた温水と、水源取水路Ｌ３を通過してきた水とを混合し、利用者が所望する温度の温水を水栓給湯路Ｌ８に送ることもできる。尚、水栓給湯路Ｌ８は、第１混合弁６３を介して給湯路Ｌ７及び水源取水路Ｌ３に接続されており、給湯路Ｌ７及び水源取水路Ｌ３と水栓９１ａとを繋ぐ水路である。給湯路Ｌ７は、貯湯タンク３０の上部吐出口３２と水栓給湯部６１とを繋ぐと共に、上部吐出口３２と浴槽給湯部６２とを繋ぐ水路である。また、第１混合弁６３と給湯路Ｌ７との接続部分、及び第１混合弁６３と水源取水路Ｌ３との接続部分には、貯湯タンク３０への逆流及び水源への逆流をそれぞれ防ぐための逆止弁（図示せず）が設けられている。
【００３９】
尚、水栓給湯路Ｌ８には、サーミスタＴｈ６及び給湯水量センサＳＮ１が設けられている。サーミスタＴｈ６は、水栓給湯路Ｌ８内を通過する水または温水、つまりは住宅ｃｏ１の水栓９１ａに供給される水または温水の温度を検出するためのものである。給湯水量センサＳＮ１は、水栓給湯路Ｌ８により水栓９１ａに供給される水または温水の量を検出するためのものである。
【００４０】
浴槽給湯部６２は、貯湯タンク３０内の温水や水源からの水を浴槽９２ａに供給するためのものであって、第２混合弁６４を有する。第２混合弁６４は、電気的に制御される電磁弁であって、給湯路Ｌ７と浴槽給湯路Ｌ９とを接続した状態、または水源取水路Ｌ３と浴槽給湯路Ｌ９とを接続した状態に切り換えることができる。また、第２混合弁６４は、給湯路Ｌ７を通過した温水と水源取水路Ｌ３を通過した水とを混合し、利用者が所望する温度の温水を浴槽給湯路Ｌ９に送ることもできる。尚、浴槽給湯路Ｌ９は、第２混合弁６４を介して給湯路Ｌ７と水源取水路Ｌ３とに接続されており、給湯路Ｌ７と浴槽９２ａとを繋ぐと共に、水源取水路Ｌ３と浴槽９２ａとを繋ぐ水路である。そして、第２混合弁６４と給湯路Ｌ７との接続部分、及び第２混合弁６４と水源取水路Ｌ３との接続部分には、貯湯タンク３０への逆流を防ぐための逆止弁（図示せず）が設けられている。
【００４１】
また、浴槽給湯路Ｌ９には、流量調節弁６５、浴槽湯水量センサＳＮ２及びサーミスタＴｈ７が設けられている。流量調節弁６５は、浴槽９２ａに供給する温水の量を調整するためのものであって、浴槽湯水量センサＳＮ２は、浴槽給湯部６２により浴槽９２ａに供給される温水の量を検出するためのものである。サーミスタＴｈ７は、浴槽９２ａに温水が供給される場合に、浴槽給湯路Ｌ９内を流れる温水の温度を検知するためのものである。
【００４２】
（３−５）追い炊き部
追い炊き部７０は、浴槽９２ａに蓄えられた温水（または水）を回収して貯湯タンク３０に貯留された温水と熱交換を行わせた後に浴槽９２ａに戻すための部分であって、貯湯タンク循環路Ｌ１、タンク循環ポンプ７１、浴槽循環ポンプ７２及び追い炊き熱交換部７３を有している。
【００４３】
貯湯タンク循環路Ｌ１は、貯湯タンク３０の上部循環出口３６と、追い炊き熱交換部７３と、下部循環入口３５とを繋ぐ水路である。タンク循環ポンプ７１は、貯湯タンク３０の内部から上部循環出口３６を通って吐出され貯湯タンク循環路Ｌ１を通過し、下部循環入口３５を経て貯湯タンク３０に戻される温水の流れを生成する。浴槽循環ポンプ７２は、浴槽９２ａ内から浴槽回収口９２ａａを通り、浴槽循環路Ｌ１０を経て浴槽吐出口９２ａｂから浴槽９２ａに戻される温水の流れを生成する。追い炊き熱交換部７３は、貯湯タンク循環路Ｌ１を通る高温の温水と、浴槽循環路Ｌ１０を通る温水（又は水）との間で熱交換を行わせることで、浴槽９２ａ中の温水（または水）を加熱可能な熱交換器である。尚、貯湯タンク循環路Ｌ１のうち追い炊き熱交換部７３の下流であり、且つ浴槽循環ポンプ７２の上流である部分には、浴槽給湯路Ｌ９が接続されている。このため、浴槽給湯部６２によって浴槽９２ａに供給される温水は、浴槽給湯路Ｌ９から浴槽循環路Ｌ１０に入り、浴槽循環路Ｌ１０の一部を経て浴槽９２ａに供給される。尚、浴槽循環路Ｌ１０は、浴槽９２ａから回収される温水（または水）が通過する浴槽回収口９２ａａと、追い炊き熱交換部７３と、浴槽９２ａに吐出される温水が通る浴槽吐出口９２ａｂとを繋ぐ水路であって、浴槽９２ａ中の温水（または水）が追い炊き熱交換部７３により熱交換され、浴槽吐出口９２ａｂを介して浴槽９２ａに戻されるように設けられている。
【００４４】
そして、浴槽循環路Ｌ１０のうち、浴槽回収口９２ａａと追い炊き熱交換部７３とを繋ぐ浴槽循環路Ｌ１０には、水位センサ７４ａ、水流スイッチ７４ｂ及びサーミスタＴｈ８が設けられている。水位センサ７４ａは、浴槽９２ａの水位を検出するためのものであって、具体的には、浴槽回収口９２ａａの圧力値に応じて浴槽９２ａの水位を検出可能ないわゆる圧力センサである。水流スイッチ７４ｂは、浴槽循環路Ｌ１０内における水の流れを検出するためのものであって、浴槽循環路Ｌ１０内を流れる温水（または水）の量が所定量以上である時にはオンし、所定量未満の時にはオフする。サーミスタＴｈ８は、追い炊き熱交換部７３で加熱される前の、浴槽９２ａ内の温水（または水）の温度を検出する。
【００４５】
また、図示はしていないが、貯湯タンクユニット２０は、当該ユニット２０を構成する機能部の制御を行う制御部を有する。この制御部は、ＣＰＵやメモリ等で構成されるマイクロコンピュータであって、主として、第１及び第２混合弁６３，６４、サーミスタＴｈ１〜Ｔｈ８、タンク循環ポンプ７１，浴槽循環ポンプ７２、水位センサ７４ａ、水流スイッチ７４ｂ、及び各種水量センサＳＮ１，ＳＮ２と接続されている。制御部は、サーミスタＴｈ１〜Ｔｈ８や各種センサＳＮ１，ＳＮ２，７４ａから送られてくる検出結果やリモートコントローラ（図示せず）から送られてくる制御信号に基づいて、接続された各種機能部（具体的には、第１及び第２混合弁６３，６４、水流スイッチ７４ｂ）の制御を行う。
【００４６】
（４）使用湯量演算装置の構成
次に、本実施形態に係る使用湯量演算装置１００の構成について説明する。使用湯量演算装置１００は、図１、図２及び図４に示すように、ベース流量センサＳＮ１０１（第１流量計測部に相当）、複数の個別流量センサＳＮ１０２ａ，ＳＮ１０２ｂ，ＳＮ１０２ｃ（第２流量計測部に相当）、複数の流量遮断弁１１１ａ，１１１ｂ，１１１ｃ、表示部１２１、操作部１２２、記憶部１２３及び制御部１４１を備える。
【００４７】
特に、本実施形態においては、表示部１２１、操作部１２２、記憶部１２３及び制御部１４１は、図１，４に示すように、パーソナルコンピュータＰＣ１内に設けられている。このパーソナルコンピュータＰＣ１は、例えば各住宅ｃｏ１〜ｃｏ３を管理する管理者が所有している。
【００４８】
（４−１）ベース流量センサ
ベース流量センサＳＮ１０１は、第１経路Ｌ２１上、即ち、給湯経路Ｌ２０のうち各住宅ｃｏ１〜ｃｏ３の給湯端末に向けて分岐される前の温水が流れる第１経路Ｌ２１上に、１つのみ設けられている。ベース流量センサＳＮ１０１は、この第１経路Ｌ２１を流れる温水の流量を計測する。つまり、本実施形態に係るベース流量センサＳＮ１０１は、各住宅ｃｏ１〜ｃｏ３における給湯端末それぞれに供給される温水全てが流れている第１経路Ｌ２１上において、貯湯タンク３０内の温水の供給先となる住宅ｃｏ１〜ｃｏ３の数に関係なく、１つのみ設けられている。従って、ベース流量センサＳＮ１０１は、各住宅ｃｏ１〜ｃｏ３の給湯端末それぞれに供給される温水のトータルの流量を計測することができる。
【００４９】
（４−２）個別流量センサ
複数の個別流量センサＳＮ１０２ａ〜ＳＮ１０２ｃは、住宅ｃｏ１〜ｃｏ３の数に対応して、各住宅ｃｏ１〜ｃｏ３への第２経路Ｌ２２ａ〜Ｌ２２ｃ上に１つずつ設けられている。個別流量センサＳＮ１０２ａ〜ＳＮ１０２ｃは、設けられた第２経路Ｌ２２ａ〜Ｌ２２ｃを流れる温水、即ち分岐され各給湯端末に送られる温水の水量を計測する。つまり、個別流量センサＳＮ１０２ａ〜ＳＮ１０２ｃは、水栓９１ａ〜９１ｃや浴槽９２ａ〜９２ｃ等の給湯端末を介して各住宅ｃｏ１〜ｃｏ３における使用者によって使用された温水の量を、各住宅ｃｏ１〜ｃｏ３毎に計測することができる。
【００５０】
（４−３）流量遮断弁
複数の流量遮断弁１１１ａ〜１１１ｃは、それぞれ電磁弁で構成されており、住宅ｃｏ１〜ｃｏ３の数に対応して設けられている。本実施形態では、流量遮断弁１１１ａ〜１１１ｃは、各住宅ｃｏ１〜ｃｏ３への第２経路Ｌ２２ａ〜Ｌ２２ｃ上に１つずつ設けられている。特に、流量遮断弁１１１ａ〜１１１ｃは、第２経路Ｌ２２ａ〜Ｌ２２ｃ上において、個別流量センサＳＮ１０２ａ〜ＳＮ１０２ｃの取り付けられている位置よりも温水の流れ方向の上流側に位置している。
【００５１】
流量遮断弁１１１ａ〜１１１ｃは、対応する第２経路Ｌ２２ａ〜Ｌ２２ｃにおける温水の流れを遮断することができる。例えば、流量遮断弁１１１ａ〜１１１ｃは、給湯システム２００が実際に使用され通常運転を開始する場合には、全て”開”の状態を採る。また、流量遮断弁１１１ａ〜１１１ｃは、各個別流量センサＳＮ１０２ａ〜ＳＮ１０２ｃの計測結果の補正の際に利用される関数算出の際には、開”または“閉”の状態を採る。
【００５２】
（４−４）表示部
表示部１２１は、例えば液晶ディスプレイからなり、給湯システム２００に関する各種画面を表示する。表示部１２１が表示する各種画面としては、給湯システム２００が正常に運転しているか否かを運転状態確認画面、沸き上げ時間及び沸き上げられる温水の量等を設定する設定画面等が挙げられる。
【００５３】
また、本実施形態に係る表示部１２１は、後述する制御部１４１によって演算された各住宅ｃｏ１〜ｃｏ３における温水の使用量及び使用料金を表す画面も、表示することができる。
【００５４】
（４−５）操作部
操作部１２２は、例えば文字キーやテンキー等を備えたキーボードとマウス等のポインティングデバイスとからなり、表示部１２１に表示された各種画面に基づいて作業者が各種指示を行う場合等に用いられる。例えば、表示部１２１に設定画面が表示されていれば、パーソナルコンピュータＰＣ１の利用者である給湯システム２００の管理者は、操作部１２２を介して、沸き上げ時間及び沸き上げられる温水の量等を設定することができる。
【００５５】
また、給湯システム２００の管理者は、操作部１２２を介して、運転状態確認画面や各住宅ｃｏ１〜ｃｏ３における温水の使用量及び使用料金を表す画面の表示を指示することができる。更に、給湯システム２００の管理者は、給湯システム２００の点検作業の際等に、操作部１２２を介して給湯システム２００の運転停止／運転開始を指示することも可能である。
【００５６】
（４−６）記憶部
記憶部１２３は、例えばＨＤＤやフラッシュメモリ等からなる構成を有しており、制御部１４１によって読み出されて実行される各種プログラムを記憶している。特に、記憶部１２３は、制御部１４１が後述する相関関係算出部１４１ａ、計測結果補正部１４１ｂ、及び開閉制御部１４１ｃとして機能するためのプログラムを記憶している。
【００５７】
また、記憶部１２３は、制御部１４１によって算出された、各個別流量センサＳＮ１０２ａ〜ＳＮ１０２ｃの計測結果の補正の際に利用される関数を記憶することができる。更に、記憶部１２３は、制御部１４１によって求められた各住宅ｃｏ１〜ｃｏ３における温水の使用量及び使用料金を記憶することができる。
【００５８】
（４−７）制御部
制御部１４１は、ワークメモリとして用いられるＲＡＭとＣＰＵとからなる構成を有しており、図４に示すように、表示部１２１、操作部１２２及び記憶部１２３と接続されている。制御部１４１は、記憶部１２３内に記憶されている各種プログラム及び操作部１２２を介してなされた給湯システム２００の管理者からの各種指示に基づいて、表示部１２１に表示される画面の制御等を行う。
【００５９】
特に、制御部１４１は、各センサＳＮ１０１，ＳＮ１０２ａ〜ＳＮ１０２ｃ、流量遮断弁１１１ａ〜１１１ｃとも接続されている。制御部１４１は、各個別流量センサＳＮ１０２ａ〜ＳＮ１０２ｃの計測結果の補正の際に利用される関数を求めると共に、当該センサＳＮ１０２ａ〜ＳＮ１０２ｃの計測結果の補正を行うことで、各住宅ｃｏ１〜ｃｏ３において使用された温水の量を正確に演算することができる。更に、制御部１４１は、流量遮断弁１１１ａ〜１１１ｃの開閉制御も行う。このような動作を行うため、本実施形態に係る制御部１４１は、相関関係算出部１４１ａ、計測結果補正部１４１ｂ及び開閉制御部１４１ｃとして機能する。
【００６０】
（４−７−１）相関関係算出部
相関関係算出部１４１ａは、給湯システム２００の試運転時、各個別流量センサＳＮ１０２ａ〜ＳＮ１０２ｃの計測結果の補正の際に利用される関数を算出する。具体的には、相関関係算出部１４１ａは、給湯システム２００の試運転時におけるベース流量センサＳＮ１０１の計測結果（第１計測結果に相当）及び個別流量センサＳＮ１０２ａ〜ＳＮ１０２ｃの計測結果（第２計測結果に相当）に基づいて、ベース流量センサＳＮ１０１の計測結果と個別流量センサＳＮ１０２ａ〜ＳＮ１０２ｃの計測結果との相関関係を個別流量センサＳＮ１０２ａ〜ＳＮ１０２ｃ毎に算出する。ここでいう相関関係とは、ベース流量センサＳＮ１０１の計測結果を基準として、各個別流量センサＳＮ１０２ａ〜ＳＮ１０２ｃの計測結果を補正するための演算式（即ち、関数）であって、更に、第２経路Ｌ２２ａ〜Ｌ２２ｃに流れる流量のレベル毎に算出される。
【００６１】
ここで、相関関係算出部１４１ａが上記相関関係を算出する手法の一例について、主に図１及び図５を用いて説明する。図５は、上記相関関係の算出の際、第１経路Ｌ２１上を実際に流れる流量及び流量レベルと、当該流量に対する各センサＳＮ１０１，ＳＮ１０２ａ〜ＳＮ１０２ｃの計測結果との関係を表した図である。ここでは、第１経路Ｌ２１の流量“１００”“２００”“３００”は、順に流量レベル“小”“中”“大”に該当している。
【００６２】
給湯システム２００の試運転時、個別流量センサＳＮ１０２ａについての相関関係を求める際には、図１に係る複数の第２経路Ｌ２２ａ〜Ｌ２２ｃのうち、第２経路Ｌ２２ｂ，Ｌ２２ｃにおける温水の流れが流量遮断弁１１１ｂ，１１１ｃによってせき止められ、第２経路Ｌ２２ａにおける温水の流れのみが流量遮断弁１１１ａによって許容される。すると、貯湯タンク３０から吐出され第１経路Ｌ２１を流れてきた温水は、分岐点にて分岐されることなく全てが第２経路Ｌ２２ａに流れることとなる。この状態で、先ずは流量レベル“小”（つまり、流量“１００”）の状態にて、ベース流量センサＳＮ１０１及び個別流量センサＳＮ１０２ａがそれぞれ計測した各計測結果を、相関関係算出部１４１ａは取得する。この時、ベース流量センサＳＮ１０１の計測結果が“１０１”であり、個別流量センサＳＮ１０２ａの計測結果が“９４”であったとする。この場合、相関関係算出部１４１ａは、ベース流量センサＳＮ１０１の計測結果を基準とすると個別流量センサＳＮ１０２ａの計測結果が約９３．０６９％の値となっていることから、流量レベル“小”での個別流量センサＳＮ１０２ａに対する相関関係の演算式を、「Ｍｘ’＝１／０．９３０６９×Ｍｘ」と求めることができる。ここで、「Ｍｘ」は変数であって、給湯システム２００が通常運転している場合に、流量レベル“小”において個別流量センサＳＮ１０２ａが計測した流量の値（計測結果）を表している。「Ｍｘ’」は、給湯システム２００の通常運転時における個別流量センサＳＮ１０２ａの計測結果が補正された後の値を表している。
【００６３】
相関関係算出部１４１ａは、第２経路Ｌ２２ｂ，Ｌ２２ｃによる温水の流れがせき止められたままの状態で、流量レベル“中”“大”それぞれについても、上述した流量レベル“小”の場合と同様にしてベース流量センサＳＮ１０１の計測結果と個別流量センサＳＮ１０２ａの計測結果との相関関係である演算式を求める。これにより、図５の一例では、流量レベル“中”“大”の場合のベース流量センサＳＮ１０１の計測結果がそれぞれ“２０１”“３０２“であるとした場合、個別流量センサＳＮ１０２ａにおける相関関係は、流量レベル“中”にて「Ｍｘ’＝１／０．９４５２７×Ｍｘ」、流量レベル“大”にて「Ｍｘ’＝１／０．９５０３３×Ｍｘ」と算出されうる。
【００６４】
次に、個別流量センサＳＮ１０２ｂについての相関関係を求める場合、図１に係る複数の第２経路Ｌ２２ａ〜Ｌ２２ｃのうち、第２経路Ｌ２２ａ，Ｌ２２ｃにおける温水の流れが流量遮断弁１１１ａ，１１１ｃによってせき止められ、第２経路Ｌ２２ｂにおける温水の流れのみが流量遮断弁１１１ｂによって許容される。すると、貯湯タンク３０から吐出され第１経路Ｌ２１を流れてきた温水は、分岐されることなく全てが第２経路Ｌ２２ｂに流れることとなる。この状態で、相関関係算出部１４１ａは、上述した個別流量センサＳＮ１０２ａの相関関係の算出の場合と同様にして、流量レベル“小”“中”“大”の各場合におけるベース流量センサＳＮ１０１の計測結果と個別流量センサＳＮ１０２ｂの計測結果との演算式を相関関係として求めていく。
【００６５】
同様にして、個別流量センサＳＮ１０２ｃについて相関関係を求める場合、図１に係る複数の第２経路Ｌ２２ａ〜Ｌ２２ｃのうち、第２経路Ｌ２２ａ，Ｌ２２ｂにおける温水の流れが流量遮断弁１１１ａ，１１１ｂによってせき止められ、第２経路Ｌ２２ｃにおける温水の流れのみが流量遮断弁１１１ｃによって許容される。すると、貯湯タンク３０から吐出され第１経路Ｌ２１を流れてきた温水は、分岐されることなく全てが第２経路Ｌ２２ｃに流れることとなる。この状態で、相関関係算出部１４１ａは、上述した個別流量センサＳＮ１０２ａの相関関係の算出の場合と同様にして、流量レベル“小”“中”“大”の各場合におけるベース流量センサＳＮ１０１の計測結果と個別流量センサＳＮ１０２ｃの計測結果との演算式を相関関係として求めていく。
【００６６】
まとめると、相関関係算出部１４１ａは、相関関係の算出対象となる個別流量センサＳＮ１０２ａ〜ＳＮ１０２ｃに対して流量レベルを変化させ、各流量レベル毎に演算式を算出する。更に、相関関係算出部１４１ａは、相関関係の算出対象となる個別流量センサＳＮ１０２ａ〜ＳＮ１０２ｃを１つずつ変えていく。これにより、相関関係算出部１４１ａは、個々の個別流量センサＳＮ１０２ａ〜ＳＮ１０２ｃに対し、当該センサＳＮ１０２ａ〜ＳＮ１０２ｃの計測結果をベース流量センサＳＮ１０１の計測結果として換算するための演算式を相関関係として、求めることができる。このようにして、給湯システム２００の試運転時に相関関係算出部１４１ａによって求められた相関関係は、記憶部１２３内に格納される。
【００６７】
また、本実施形態に係る相関関係算出部１４１ａは、給湯システム２００の通常運転時においても、所定のタイミングで相関関係（具体的には、演算式）の算出を各個別流量センサＳＮ１０２ａ〜ＳＮ１０２ｃ毎に行う。所定のタイミングとしては、給湯システム２００が通常運転しているものの、各住宅ｃｏ１〜ｃｏ３において温水の使用がなされていない（または、強制的に禁止されている場合）等が挙げられる。この場合においても、相関関係算出部１４１ａは、相関関係を、上述した相関関係の算出手法と同様にして求めることができる。
【００６８】
そして、相関関係算出部１４１ａは、通常運転時に新たに求めた相関関係と、記憶部１２３内の相関関係（つまり、試運転時に求めた相関関係）とを比較し、新たに求めた相関関係と記憶部１２３内の相関関係とが異なる場合には、ベース流量センサＳＮ１０１または個別流量センサＳＮ１０２ａ〜ＳＮ１０２ｃのいずれかが故障であると判断する。例えば、新たに求めた各個別流量センサＳＮ１０２ａ〜ＳＮ１０２ｃにおける相関関係全てが、記憶部１２３内の各個別流量センサＳＮ１０２ａ〜ＳＮ１０２ｃにおける相関関係と異なっている場合には、相関関係算出部１４１ａは、全ての相関関係に関係しているベース流量センサＳＮ１０１が故障していると判断する。一方で、新たに求めた相関関係のうち、特定の個別流量センサＳＮ１０２ａ〜ＳＮ１０２ｃにおける相関関係のみが、記憶部１２３内の相関関係と異なる場合には、相関関係算出部１４１ａは、該当する個別流量センサＳＮ１０２ａ〜ＳＮ１０２ｃのみが故障していると判断する。この故障の判断結果は、表示部１２１に表示されると良い。
【００６９】
更に、新たに求めた相関関係と記憶部１２３内の相関関係との比較により、記憶部１２３内の相関関係が正しい内容であるかを、適宜確認することもできる。
【００７０】
（４−７−２）計測結果補正部
計測結果補正部１４１ｂは、給湯システム２００の通常運転時における各個別流量センサＳＮ１０２ａ〜ＳＮ１０２ｃの計測結果を、上記相関関係算出部１４１ａにて算出された各個別流量センサＳＮ１０２ａ〜Ｎ１０２ｃ毎の相関関係に基づいて、補正する。例えば、取得した個別流量センサＳＮ１０２ａの計測結果が流量レベル“小”の場合の結果であれば、計測結果補正部１４１ｂは、記憶部１２３内から、流量レベル“小”での個別流量センサＳＮ１０２ａにおける相関関係（つまりは、演算式）を抽出する。そして、計測結果補正部１４１ｂは、この相関関係中の変数「Ｍｘ」に、取得した個別流量センサＳＮ１０２ａの計測結果を代入し、個別流量センサＳＮ１０２ａの計測結果を、ベース流量センサＳＮ１０１が計測したと仮定した場合に得られる結果「Ｍｘ’」に換算する。
【００７１】
このようにして、計測結果補正部１４１ｂは、給湯システム２００の通常運転時、各個別流量センサＳＮ１０２ａ〜ＳＮ１０２ｃが計測した計測結果全てに対し、個々に対応する相関関係を用いて補正を行う。これにより、各個別流量センサＳＮ１０２ａ〜ＳＮ１０２ｃの計測結果全ては、ベース流量センサＳＮ１０１の計測結果を基準として換算されることとなり、公平な観点で互いに比較できるようになる。
【００７２】
（４−７−３）開閉制御部
開閉制御部１４１ｃは、相関関係算出部１４１ａが各個別流量センサＳＮ１０２ａ〜ＳＮ１０２ｃにおける相関関係を算出する際に、各流量遮断弁１１１ａ〜１１１ｃに対し通電制御を行うことで、各流量遮断弁１１１ａ〜１１１ｃを“開”または“閉”の状態にさせる。例えば、相関関係算出部１４１ａが個別流量センサＳＮ１０２ａにおける相関関係を算出する際には、開閉制御部１４１ｃは、個別流量センサＳＮ１０２ａが設けられている第２経路Ｌ２２ａ上の流量調節弁１１１ａのみを“開”状態にし、他の流量調節弁１１１ｂ，１１１ｃを“閉”状態にする。
【００７３】
つまり、開閉制御部１４１ｃは、相関関係の算出対象となる個別流量センサ（例えば、ＳＮ１０２ａ）が設けられた第２経路（この場合、Ｌ２２）のみの、温水の流れを許容しつつ、他の第２経路、つまりは相関関係の算出対象ではない個別流量センサ（この場合、ＳＮ１０２ｂ，ＳＮ１０２ｃ）が設けられた第２経路（Ｌ２２ｂ，Ｌ２２ｃ）において、温水の流れを遮断させる。そして、相関関係の算出対象となる個別流量センサＳＮ１０２ａ〜ＳＮ１０２ｃが異なる毎に、開閉制御部１４１ｃは、“開”状態を採る流量調節弁並びに“閉”状態を採る流量調節弁を変えていくことで、温水の流れが遮断される第２経路Ｌ２２ａ〜Ｌ２２ｃを変えていく。これは、算出対象となる個別流量センサ（例えば、ＳＮ１０２ａ）が設けられた第２経路（この場合、Ｌ２２ａ）以外の第２経路（この場合、Ｌ２２ｂ，Ｌ２２ｃ）についても温水の流れを許容してしまうと、第１経路Ｌ２１上の温水の流量と算出対象である個別流量センサ（この場合、ＳＮ１０２ａ）の温水の流量とが一致せず、また算出対象の個別流量センサ（この場合、ＳＮ１０２ａ）のみならず算出対象外の個別流量センサ（この場合、ＳＮ１０２ｂ，ＳＮ１０２ｃ）の影響までをも考慮して個別流量センサ（この場合、ＳＮ１０２ａ）における相関関係を算出しなければならなくなり、相関関係の算出が事実上複雑になってしまうためである。
【００７４】
また、開閉制御部１４１ｃは、給湯システム２００の通常運転時にも、例えば暖房や冷房等の通常運転の種類や各種設定等に基づいて、各流量遮断弁１１１ａ〜１１１ｃの通電制御を行う。更に、開閉制御部１４１ｃは、給湯システム２００の運転開始指示及び運転停止指示等に基づいても、各流量遮断弁１１１ａ〜１１１ｃの通電制御を行う。
【００７５】
（５）使用湯量演算装置の動作
図６，７は、本実施形態に係る使用湯量演算装置１００が搭載された給湯システム２００の全体的な流れを示すフロー図である。
【００７６】
ステップＳ１〜Ｓ２：始めに、給湯システム２００は、住宅ｃｏ１〜ｃｏ３からなるマンションに設置され（Ｓ１）、試運転が開始される（Ｓ２）。
【００７７】
ステップＳ３：開閉制御部１４１ｃとして機能する制御部１４１は、相関関係の算出対象となる個別流量センサＳＮ１０２ａ〜ＳＮ１０２ｃが設けられた第２経路Ｌ２２ａ〜Ｌ２２ｃ上の流量遮断弁１１１ａ〜１１１ｃを“開”の状態にし、対象外の個別流量センサＳＮ１０２ａ〜１０２ｃが設けられた第２経路Ｌ２２ａ〜Ｌ２２ｃ上の流量遮断弁１１１ａ〜１１１ｃを、共に“閉”の状態にする。
【００７８】
ステップＳ４：ステップＳ３の状態で、ベース流量センサＳＮ１０１は、第１経路Ｌ２１上の温水の流量を計測し、相関関係の算出対象となる個別流量センサＳＮ１０２ａ〜ＳＮ１０２ｃは、第２経路Ｌ２２ａ〜Ｌ２２ｃ上の温水の流量を計測する。
【００７９】
ステップＳ５：相関関係算出部１４１ａとして機能する制御部１４１は、ステップＳ４におけるベース流量センサＳＮ１０１の検出結果と、相関関係の算出対象となる個別流量センサＳＮ１０２ａ〜ＳＮ１０２ｃの計測結果とに基づいて、これらの計測結果の相関関係を表す演算式を算出し、記憶部１２３に格納する。
【００８０】
ステップＳ６〜Ｓ７：全ての個別流量センサＳＮ１０２ａ〜ＳＮ１０２ｃにおける相関関係が算出されていない限り（Ｓ６のＮｏ）、相関関係の算出対象となる個別流量センサＳＮ１０２ａ〜ＳＮ１０２ｃが変更され（Ｓ７）、ステップＳ３以降の動作が繰り返される。
【００８１】
ステップＳ８〜Ｓ１０：ステップＳ６において、全ての個別流量センサＳＮ１０２ａ〜ＳＮ１０２ｃにおける相関関係が算出された後（Ｓ６のＹｅｓ）、給湯システム２００の運転開始指示があれば（Ｓ８のＹｅｓ）、開閉制御部１４１ｃとして機能する制御部１４１は、全ての流量遮断弁１１１ａ〜１１１ｃを“開”の状態にし（Ｓ９）、給湯システム２００は、通常運転を開始する（Ｓ１０）。
【００８２】
ステップＳ１１：各個別流量センサＳＮ１０２ａ〜ＳＮ１０２ｃそれぞれは、各第２経路Ｌ２２ａ〜Ｌ２２ｃを流れる温水の流量の計測を開始する。
【００８３】
ステップＳ１２〜Ｓ１３：計測結果補正部１４１ｂとして機能する制御部１４１は、各個別流量センサＳＮ１０２ａ〜ＳＮ１０２ｃの計測結果を、対応する相関関係に基づいて補正する。補正後の個別流量センサＳＮ１０２ａ〜ＳＮ１０２ｃの計測結果は、各住宅ｃｏ１〜ｃｏ３にて使用された温水の量に相当する。そして、制御部１４１は、各住宅ｃｏ１〜ｃｏ３にて使用された温水の量に基づく使用料金を演算する（Ｓ１３）。
【００８４】
ステップＳ１４〜Ｓ１５：パーソナルコンピュータＰＣ１の操作部１２２を介して、各住宅ｃｏ１〜ｃｏ３にて使用された温水の量及び使用料金の表示が指示された場合には（Ｓ１４のＹｅｓ）、表示部１２１は、各住宅ｃｏ１〜ｃｏ３にて使用された温水の量及び各住宅ｃｏ１〜ｃｏ３毎の使用料金を表す画面を表示する（Ｓ１５）。
【００８５】
ステップＳ１６〜Ｓ１８：相関関係を算出するタイミングとなった場合には（Ｓ１６のＹｅｓ）、制御部１４１は、ステップＳ３〜Ｓ５と同様にして相関関係の算出を行い（Ｓ１７）、各センサＳＮ１０１、ＳＮ１０２ａ〜ＳＮ１０２ｃが異常であるか否かの判断等を行う。表示部１２１は、この制御部１４１の判断結果を表示する（Ｓ１８）。
【００８６】
ステップＳ１９：パーソナルコンピュータＰＣ１の操作部１２２を介して、給湯システム２００の運転終了指示がなされない限り（Ｓ１９のＮｏ）、ステップＳ１２以降の動作が繰り返される。給湯システム２００の運転終了指示がなされた場合には（Ｓ１９のＹｅｓ）、給湯システム２００及び当該システム２００に搭載されている使用湯量演算装置１００は、運転を終了する。
【００８７】
（６）特徴
（６−１）
本実施形態に係る使用湯量演算装置１００では、給湯経路Ｌ２０のうち、分岐される前の温水が流れる第１経路Ｌ２１には、ベース流量センサＳＮ１０１が設けられており、分岐され各給湯端末に送られる温水が流れる複数の第２経路Ｌ２２ａ〜Ｌ２２ｃそれぞれには、個別流量センサＳＮ１０２ａ〜ＳＮ１０２ｃが設けられている。この状態で、相関関係算出部１４１ａとして機能する制御部１４１は、給湯システム２００の試運転時におけるベース流量センサＳＮ１０１の計測結果と各個別流量センサＳＮ１０２ａ〜ＳＮ１０２ｃの計測結果との相関関係を、各個別流量センサＳＮ１０２ａ〜ＳＮ１０２ｃ毎に算出する。計測結果補正部１４１ｂとして機能する制御部１４１は、給湯システム２００の通常運転時における各個別流量センサＳＮ１０２ａ〜ＳＮ１０２ｃの計測結果を、各個別流量センサＳＮ１０２ａ〜ＳＮ１０２ｃ毎に算出された相関関係に基づき補正する。そのため、各第２経路Ｌ２２ａ〜Ｌ２２ｃに設けられた個別流量センサＳＮ１０２ａ〜ＳＮ１０２ｃの各計測結果、即ち各住宅ｃｏ１〜ｃｏ３毎の使用された温水の量は、正確な値となって求められることとなる。従って、安価な方法にて、各住宅ｃｏ１〜ｃｏ３において実際に使用された温水の量を正確に求めることができ、これによって各住宅ｃｏ１〜ｃｏ３の住宅者間における公平性を保つことができる。
【００８８】
（６−２）
また、本実施形態に係る使用湯量演算装置１００では、ベース流量センサＳＮ１０１の計測結果を基準として各個別流量センサＳＮ１０２ａ〜ＳＮ１０２ｃの計測結果を補正するための演算式が、相関関係として、個別流量センサＳＮ１０２ａ〜１０２ｃ毎に求められる。そのため、個別流量センサＳＮ１０２ａ〜ＳＮ１０２ｃの各計測結果、即ち各第２経路Ｌ２２ａ〜Ｌ２２ｃ上における温水の流量は、この演算式によって、当該流量をベース流量センサＳＮ１０１が計測したと仮定した場合の値に換算されるようになる。そのため、各住宅ｃｏ１〜ｃｏ３の給湯端末にて使用された温水の量それぞれが異なる個別流量センサＳＮ１０２ａ〜ＳＮ１０２ｃによって計測されたとしても、個々の演算式によって換算されるために、各個別流量センサＳＮ１０２ａ〜ＳＮ１０２ｃの個体差を含まない値となる。従って、換算後の各個別流量センサＳＮ１０２ａ〜ＳＮ１０２ｃの計測結果同士を比較することができ、また各住宅ｃｏ１〜ｃｏ３の使用者への温水の使用料金を請求する際には、公平性を保つことができる。
【００８９】
（６−３）
また、本実施形態に係る使用湯量演算装置１００では、相関関係の算出の際、ベース流量センサＳＮ１０１の計測結果との相関関係を求める対象となる個別流量センサ（例えば、ＳＮ１０２ａ）が設けられた第２経路Ｌ２２ａのみ、温水の流れが許容され、他の第２経路Ｌ２２ｂ，Ｌ２２ｃは温水の流れが遮断されるようになる。これにより、第１経路Ｌ２１上を流れる温水の量は、相関関係を求める対象となる個別流量センサＳＮ１０２ａが設けられた第２経路Ｌ２２ａ上を流れる温水の量と等しくなる。従って、相関関係を精度良く求めることができる。
【００９０】
（６−４）
例えば流量レベルが“大”“中”“小”のように複数存在する場合、ベース流量センサＳＮ１０１の計測結果と各個別流量センサＳＮ１０２ａ〜ＳＮ１０２ｃの計測結果との相関関係は、流量レベル毎に異なっていることも考えらなくはない。しかし、本実施形態に係る使用湯量演算装置１００によると、相関関係は更に流量レベル毎に算出されるため、より正確な相関関係が求められるようになる。
【００９１】
（６−５）
更に、本実施形態に係る使用湯量演算装置１００によると、給湯システム２００の試運転時のみならず、通常運転時においても相関関係が算出される。そのため、例えば試運転時に算出した相関関係と通常運転時に算出した相関関係とを比較することで、ベース流量センサＳＮ１０１や個別流量センサＳＮ１０２ａ〜ＳＮ１０２ｃにおいて不具合が生じた場合には、これを把握することが可能となる。更に、相関関係が正しいかを、適宜確認することができるようになる。
【００９２】
（７）変形例
（７−１）変形例Ａ
上記実施形態において、給湯システム２００の試運転時に使用したベース流量センサＳＮ１０１は、各個別流量センサＳＮ１０２ａ〜ＳＮ１０２ｃにおける相関関係を求めた後に、第１経路Ｌ２１から取り外されてもよい。
【００９３】
（７−２）変形例Ｂ
また、上記実施形態では、給湯システム２００の通常運転時にも、各個別流量センサＳＮ１０２ａ〜ＳＮ１０２ｃにおける相関関係が適宜求められると説明した。しかし、各個別流量センサＳＮ１０２ａ〜ＳＮ１０２ｃにおける相関関係は、給湯システム２００の試運転時にのみ求められても良い。
【００９４】
また、各センサＳＮ１０１，ＳＮ１０２ａ〜ＳＮ１０２ｃが故障などにより新たなセンサに取り替えられた際には、取り替えられたセンサＳＮ１０１，ＳＮ１０２ａ〜ＳＮ１０２ｃにおける相関関係のみが求められてもよい。
【００９５】
（７−３）変形例Ｃ
また、上記実施形態では、相関関係の算出の手法を、図５を用いて概念的に説明した。しかし、本発明では、ベース流量センサＳＮ１０１を基準として各個別流量センサＳＮ１０２ａ〜ＳＮ１０２ｃにおける相関関係が求められればよいため、相関関係の算出の手法は、これに限定されない。
【００９６】
（７−４）変形例Ｄ
また、上記実施形態では、給湯システム２００の運転の開始及び終了の指示が、住宅ｃｏ１〜ｃｏ３の管理者によってパーソナルコンピュータＰＣ１を介してなされる場合について説明した。しかし、給湯システム２００の運転の開始及び終了の指示は、給湯システム２００のリモートコントローラを介してなされてもよい。また、パーソナルコンピュータＰＣ１は、住宅ｃｏ１〜ｃｏ３を有するマンションとは別の建物に設置されており、各種指示がネットワークを介してなされても良い。
【００９７】
また、パーソナルコンピュータＰＣ１の表示部１２１上に表示される各種画面についても、パーソナルコンピュータＰＣ１上ではなく、給湯システム２００のリモートコントローラや、別の建物に設置されている端末上に表示されてもよい。
【産業上の利用可能性】
【００９８】
本発明に係る使用湯量演算装置は、安価な方法にて、各住宅において実際に使用された温水の量を正確に求めることができ、これによって使用者間における公平性を保つことができる。従って、本発明に係る使用湯量演算装置は、貯湯タンク内の温水を途中で分岐させて複数の住宅それぞれに設置された給湯端末へと送る構成の給湯システムにおいて、各住宅にて使用された温水の量を演算する装置として適用できる。
【符号の説明】
【００９９】
１０  加熱ユニット
２０  貯湯タンクユニット
３０  貯湯タンク
４０  水源取水部
５０  沸き上げ部
６０  給湯部
７０  追い炊き部
１００  使用湯量演算装置
１１１ａ〜１１１ｃ  流量遮断弁
１２１  表示部
１２２  操作受付部
１２３  記憶部
１４１  制御部
１４１ａ  相関関係算出部
１４１ｂ  計測結果補正部
１４１ｃ  開閉制御部
２００  給湯システム
Ｌ２０  給湯経路
Ｌ２１  第１経路
Ｌ２２ａ〜Ｌ２２ｃ  第２経路
ＳＮ１０１  ベース流量センサ
ＳＮ１０２ａ〜ＳＮ１０２ｃ  個別流量センサ
【先行技術文献】
【特許文献】
【０１００】
【特許文献１】特開２００４−３４０４５７号公報
【図１】
2012202664.tif 000003
【図２】
2012202664.tif 000004
【図３】
2012202664.tif 000005
【図４】
2012202664.tif 000006
【図５】
2012202664.tif 000007
【図６】
2012202664.tif 000008
【図７】
2012202664.tif 000009